(57)【要約】【課題】安価な汎用合成樹脂から成るコネクタユニットを用いながら、半田接合により信頼性を高める。【解決手段】  先ず、回路基板３の複数の半田接続部３３にクリーム半田を塗布し、クリーム半田上に中継ユニット２の中継端子２１の接続端２１ｂを載置し、高温の炉内に移動させ、クリーム半田を溶かし、かつ凝固させて半田接合する。中継ユニット２のモールド体２２は耐熱性を有する合成樹脂により形成しているので、加熱により変形することはない。その後に、コネクタユニット１を回路基板３上に載置すると共に、ハウジング１１のソケット部１４に中継ユニット２を当接し、コネクタユニット１の端子ピン１２の端部を中継端子２１の嵌合接続部２１ａに押し込むことにより、回路基板３とコネクタユニット１の確実な電気接続がなされる。【選択図】図９
2010238508.tif 000002
【特許請求の範囲】
【請求項１】
相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持する中継ユニットとから成り、前記中継端子の第１の接続端は前記端子ピンと嵌合により接続し、前記第２の接続端は回路基板の半田接続部に半田により接続することを特徴とする回路基板用コネクタ。
【請求項２】
相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持し、前記第１の接続端を前記コネクタユニットの端子ピンと接続する中継ユニットと、配線パターンを実装し該配線パターンの半田接続部に前記中継端子の第２の接続端を半田により接続する回路基板とから成り、該回路基板上に前記中継ユニットを配置し、前記中継ユニット上に前記コネクタユニットを配置することを特徴とする回路基板用コネクタ。
【請求項３】
前記端子ピンは前記コネクタユニットの合成樹脂製のハウジング内にモールドにより固定したことを特徴とする請求項１又は２に記載の回路基板用コネクタ。
【請求項４】
前記ハウジングは汎用合成樹脂を用いたことを特徴とする請求項３に記載の回路基板用コネクタ。
【請求項５】
前記中継端子の前記端子ピンとの孔状の嵌合接続部は、周囲から内側に向けて複数の舌片を突出したことを特徴とする請求項１又は２に記載の回路基板用コネクタ。
【請求項６】
相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持する中継ユニットと、配線パターンを実装し該配線パターンの複数の半田接続部を有する回路基板とから成り、該回路基板上に前記中継ユニットを配置し、前記回路基板の半田接続部に前記中継端子の第２の接続端を半田により接続する半田接続工程と、前記中継ユニット上に前記コネクタユニットを配置し、前記中継ユニットの第１の接続端に前記コネクタユニットの端子ピンを嵌合により接続する嵌合接続工程とから成ることを特徴とする回路基板用コネクタの製造方法。
【請求項７】
前記半田接続工程は高温の炉内において実施することを特徴とする請求項６に記載の回路基板用コネクタの製造方法。
【発明の詳細な説明】
【技術分野】
【０００１】
本発明は、回路基板上に設けられた配線パターンの回路を他の電子部品等に接続するための回路基板用コネクタ及びその製造方法に関するものである。
【背景技術】
【０００２】
近年において、例えば高機能化した自動車等には、多種多様の電子部品が実装された回路基板が搭載されるようになっている。回路基板に接続する接続部の数は極めて多く、回路基板上に占める面積も大きくなることから、特に表面実装することが望まれている。
【０００３】
そこで、回路基板を含む回路構造体の小型化やコストの低下を図るために、特許文献１、２のように、回路基板の表面にコネクタを実装するようにした回路基板用コネクタが提案されている。
【０００４】
これらの特許文献１、２において、部品を回路基板に表面実装する場合には、クリーム半田が一般に用いられる。このクリーム半田を使用する場合には、先ず回路基板におけるプリント配線の半田付けすべき半田接続部に、クリーム半田を塗布する。その後に、クリーム半田上に部品を載置した状態で、高温の炉に入れることにより、短時間でクリーム半田を溶かし、部品を回路基板に半田付けする。
【０００５】
この方法によれば、クリーム半田の量を細かく調整でき、高密度ＩＣのような狭間隔であっても、半田ブリッジが生ぜずに高密度に半田付けすることができる。
【先行技術文献】
【特許文献】
【０００６】
【特許文献１】特開２００７−０８７７４８号公報
【特許文献２】特開２００７−１６５０８４号公報
【発明の概要】
【発明が解決しようとする課題】
【０００７】
しかし、コネクタのハウジングは一般に安価な熱可塑性を有する汎用樹脂により形成されているため、半田付けのための炉に入れると、高温によって変形し、コネクタの信頼性が低下する問題がある。
【０００８】
近年では、環境問題を反映して、鉛フリーの半田を用いることが広まりつつあるが、この鉛フリーの半田は融点が高いため、上述の問題はより顕著なものとなる。
【０００９】
一方、コネクタのハウジングに耐熱性を有する例えばＰＰＳ（ポリフェニレンサルファイド樹脂）のような合成樹脂を用いることも考えられるが、汎用品のコネクタに比べて製品コストが大幅に上昇することが避けられない。
【００１０】
本発明の目的は、上述の問題点を解消し、安価な汎用品のコネクタを用いながらも、半田付けによる変形を防止して信頼性を高めた回路基板用コネクタ及びその製造方法を提供することにある。
【課題を解決するための手段】
【００１１】
上記目的を達成するための本発明に係る回路基板用コネクタは、相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持する中継ユニットとから成り、前記中継端子の第１の接続端は前記端子ピンと嵌合により接続し、前記第２の接続端は回路基板の半田接続部に半田により接続することを特徴とする。
【００１２】
また、本発明に係る回路基板用コネクタは、相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持し、前記第１の接続端を前記コネクタユニットの端子ピンと接続する中継ユニットと、配線パターンを実装し該配線パターンの半田接続部に前記中継端子の第２の接続端を半田により接続する回路基板とから成り、該回路基板上に前記中継ユニットを配置し、前記中継ユニット上に前記コネクタユニットを配置することを特徴とする。
【００１３】
更に、本発明に係る回路基板用コネクタの製造方法は、相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持する中継ユニットと、配線パターンを実装し該配線パターンの複数の半田接続部を有する回路基板とから成り、該回路基板上に前記中継ユニットを配置し、前記回路基板の半田接続部に前記中継端子の第２の接続端を半田により接続する半田接続工程と、前記中継ユニット上に前記コネクタユニットを配置し、前記中継ユニットの第１の接続端に前記コネクタユニットの端子ピンを嵌合により接続する嵌合接続工程とから成ることを特徴とする。
【発明の効果】
【００１４】
本発明に係る回路基板用コネクタ及びその製造方法によれば、耐熱性を有する中継ユニットの端子と回路基板の半田接続部とを半田付け可能とし、回路基板に中継ユニットを介してコネクタユニットを接続する構成とするので、コネクタユニットに耐熱性が低い汎用合成樹脂製のハウジングを用いることができる。
【図面の簡単な説明】
【００１５】
【図１】回路基板用コネクタの分解断面図である。
【図２】コネクタユニットを斜め上前方から見た斜視図である。
【図３】コネクタユニットを斜め下前方から見た斜視図である。
【図４】中継ユニットの斜視図である。
【図５】中継端子の斜視図である。
【図６】中継端子の集合体の斜視図である。
【図７】中継端子を列状にした斜視図である。
【図８】回路基板の斜視図である。
【図９】組立てた回路基板用コネクタの断面図である。
【発明を実施するための形態】
【００１６】
本発明を図示の実施例に基づいて詳細に説明する。
図１は実施例の回路基板用コネクタの分解断面図であり、回路基板用コネクタはコネクタユニット１と、中継ユニット２とから成り、必要に応じて回路基板３を付加した構成とされている。
【００１７】
図２、図３にも示すように、コネクタユニット１は合成樹脂製のハウジング１１、金属製の端子ピン１２から成り、ハウジング１１は前方に相手側コネクタと嵌合する開口部１３が設けられ、後方において端子ピン１２の中間部をモールド成型により保持している。
【００１８】
ハウジング１１は汎用合成樹脂によって製造することができ、汎用合成樹脂としては、例えばポリブチレンテレフタレート（ＰＢＴ）や、ナイロン等の樹脂が挙げられる。また、成形保特性を高めるために、これらの樹脂中にガラス繊維等を添加してもよい。
【００１９】
端子ピン１２は例えば黄銅から成る辺が０．６４ｍｍの角棒とされ、その前端１２ａはコネクタユニット１の開口部１３内にあって、相手側コネクタの対応する受接続端子と接続し、中間部においてＬ字状に折曲されてモールドされ、後端１２ｂは下方に向けて突出されている。端子ピン１２の前端１２ａ、後端１２ｂは錐状に加工されている。また、端子ピン１２の断面形状は角棒に限らず、丸棒或いは他の多角形状等に形成してもよい。
【００２０】
開口部１３内における端子ピン１２は、上下２段、左右２０列に計４０本が配置され、上側の端子ピン１２は下側の端子ピン１２よりも長くされ、大きくＬ字状に迂回して後端１２ｂに至っている。端子ピン１２の後端１２ｂは、ハウジング１１の後部に下方に開口して設けられたソケット部１４に突出されており、このソケット部１４には回路基板３に対して半田接続する中継ユニット２が嵌め込まれ、固定されるようになっている。また、ハウジング１１の底面には、コネクタユニット１を回路基板３に係止固定するための段部１５が形成され、ハウジング１１の両側部にはビス挿通用のねじ止め部１６が設けられている。
【００２１】
中継ユニット２は図４の斜視図及び図１の断面図に示すように、例えば黄銅等の金属材料から成りコネクタユニット１の端子ピン１２と同数の条片状の中継端子２１と、各中継端子２１の一部をそれぞれ覆うモールド体２２とから成っている。中継端子２１はコネクタユニット１の端子ピン１２との嵌合接続部２１ａと、この嵌合接続部２１ａに一体に形成された接続端２１ｂとを有し、中継端子２１はモールド体２２の両側に嵌合接続部２１ａを内側として対称的に配設されている。先端の接続端２１ｂは回路基板３の表面側に一段下がった段差状に形成され、外側に折曲された接続端２１ｂの接続面が回路基板３の半田接続部に接続されるようになっている。
【００２２】
モールド体２２は耐熱性を有する絶縁性樹脂材料から成り、例えばＰＰＳによって中継端子２１の中間部を包囲するように射出成型されている。このモールド体２２にも、ガラス繊維を混入して強化してもよい。モールド体２２は中央に２列に並んだ孔部２３が設けられ、この孔部２３内に中継端子２１の嵌合接続部２１ａが露出されている。また、モールド体２２の両側にはビスを挿通するビス挿通孔２４が設けられ、モールド体２２の下面には回路基板３への位置決め用ボス２５が突出されている。
【００２３】
図５に示すように、中継端子２１の嵌合接続部２１ａはコネクタユニット１の端子ピン１２を嵌合するために孔状とされている。嵌合接続部２１ａには、例えば３個の舌片２１ｃが内側を向いて打ち抜き時に形成されている。
【００２４】
この中継端子２１を製作するに際しては、図６に示すようにリン青銅等の金属薄板によりプレス加工により中継端子２１を打ち抜き成形し、更に舌片２１ｃを備えた嵌合接続部２１ａに形成する。このとき、向かい合う中継端子２１の嵌合接続部２１ａ同士、隣接する接続端２１ｂ同士は連結片２６、２７で連結された集合体２８に形成する。
【００２５】
その後に、集合体２８の連結片２６を図７に示すように切断除去し、嵌合接続部２１ａと接続端２１ｂとの間に段差を形成する。この集合体２８を金型の内部に２列に並べて装填し、嵌合接続部２１ａ、接続端２１ｂ、連結片２７を除く部分を包囲するように金型内に溶融したＰＰＳを注入しモールドする。このようにして、射出成形によりモールド体２２を形成した後に、連結片２７を切断除去することによって、各中継端子２１が他の中継端子２１と導通することなく別個に得られ、中継ユニット２が完成する。
【００２６】
図８に示す回路基板３は所謂プリント基板であって、絶縁性基板３２の表面に銅箔から成る図示しない配線パターン３１が形成されると共に、配線パターン３１はソルダレジストによって覆われている。回路基板３の配線パターン３１には、中継ユニット２の接続端２１ｂと半田により接続するための半田接続部３３が、中継ユニット２の接続端２１ｂと同数の２×２０列に配列されている。なお、これらの半田接続部３３はソルダレジストに覆われずに露出している。また、回路基板３にはビス挿通孔３４が形成され、更に中継ユニット２の位置決め用ボス２５を嵌合する位置決め孔３５が設けられている。
【００２７】
これらのコネクタユニット１、中継ユニット２、回路基板３を組立てて回路基板用コネクタを製作するには、先ず回路基板３における複数の半田接続部３３にクリーム半田を塗布する。回路基板３の位置決め孔３５に中継ユニット２の位置決め用ボス２５を嵌合することにより位置決めを行い、半田接続部３３のクリーム半田上に中継ユニット２の中継端子２１の接続端２１ｂの接続面を載置する。続いて、この中継ユニット２及び回路基板３を高温の炉内に移動させることにより、短時間でクリーム半田を溶融しその後に凝固させ、各接続端２１ｂを回路基板３の半田接続部３３にそれぞれ半田により接合する。このとき、中継ユニット２のモールド体２２は耐熱性を有する合成樹脂により形成しているので、加熱により変形することはない。
【００２８】
その後に、コネクタユニット１と中継ユニット２とを接続する。ハウジング１１を回路基板３上に段部１５を介して載置すると共に、ハウジング１１のソケット部１４に中継ユニット２を当接し押し込むことにより、コネクタユニット１の複数の端子ピン１２の後端１２ｂを、中継ユニット２の嵌合接続部２１ａにそれぞれ挿し込む。
【００２９】
端子ピン１２の後端１２ｂが中継端子２１の嵌合接続部２１ａに挿し込まれると、端子ピン１２は嵌合接続部２１ａの舌片２１ｃに当接し、続いてそのまま端子ピン１２を押し込むと、端子ピン１２は舌片２１ｃの先端を内側に変形させる。この変形には、弾性変形及び塑性変形が含まれ、例えば舌片２１ｃの先端の折り曲げは、弾性変形による折り曲げであってもよく、塑性変形による折り曲げであってもよい。端子ピン１２を更に押し込むと、折り曲げられた舌片２１ｃは端子ピン１２と接触し確実な電気接続がなされる。
【００３０】
このようにして、回路基板用コネクタを組み立てた後に、図９に示すようにビスを回路基板３のビス挿通孔３４、中継端子２１のビス挿通孔２４を通して、コネクタユニット１のねじ止め部１６にねじ込み、これらの部材をビスにより固定する。
【００３１】
その結果、コネクタユニット１の端子ピン１２は、中継ユニット２の中継端子２１における嵌合接続部２１ａにおいて導通する。一方で、中継端子２１は接続端２１ｂにおいて回路基板３の半田接続部３３に導通していることから、コネクタユニット１の各端子ピン１２は、中継ユニット２を介して回路基板３上の配線パターン３１に導通することとなる。
【００３２】
このように、高温環境下の炉内で回路基板３に中継ユニット２の接続端２１ｂを半田接続した後に、室温環境下で中継ユニット２の嵌合接続部２１ａにコネクタユニット１の端子ピン１２を接続するため、ハウジング１１に耐熱性が低い汎用品を用いることができる。即ち、回路基板３に表面実装するコネクタユニット１として、安価な汎用品のハウジング１１を用いながらも、高温による変形を防止して信頼性を高めることができる。
【００３３】
更に、中継ユニット２の嵌合接続部２１ａ内に舌片２１ｃを設け、端子ピン１２の嵌合接続部２１ａへの挿し込み時に、舌片２１ｃを折り曲げて変形させる構成としたので、嵌合接続部２１ａの大きさや位置等について少々の誤差があっても、問題なく端子ピン１２と嵌合して導通させることができる。
【００３４】
また、嵌合接続部２１ａに対する端子ピン１２の嵌合によって導通構造を形成するので、回路基板３上に実装する電子部品の高密度化や狭ピッチ化の妨げとなる受端子を設けなくてよい。従って、狭ピッチでかつ多段配列の端子ピンを備えるコネクタユニット１を、中継ユニット２を介して回路基板３上に組み立てることができる。
【００３５】
なお、本発明は実施例のみに限定されることはなく、特許請求の範囲内において、各種の変更ができる。
【符号の説明】
【００３６】
１  コネクタユニット
２  中継ユニット
３  回路基板
１１  ハウジング
１２  端子ピン
１４  ソケット部
２１  中継端子
２１ａ  嵌合接続部
２１ｂ  接続端
２１ｃ  舌片
２２  モールド体
２３  孔部
３１  配線パターン
３３  半田接続部
【図１】
2010238508.tif 000003
【図２】
2010238508.tif 000004
【図３】
2010238508.tif 000005
【図４】
2010238508.tif 000006
【図５】
2010238508.tif 000007
【図６】
2010238508.tif 000008
【図７】
2010238508.tif 000009
【図８】
2010238508.tif 000010
【図９】
2010238508.tif 000011
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持し、前記第１の接続端を前記コネクタユニットの端子ピンと接続する中継ユニットと、配線パターンを実装し該配線パターンの半田接続部に前記中継端子の第２の接続端を半田により接続する回路基板とから成り、該回路基板上に前記中継ユニットを配置し、前記中継ユニット上に前記コネクタユニットを配置することを特徴とする回路基板用コネクタ。
【請求項２】
相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持する中継ユニットとから成り、前記中継端子の第１の接続端は前記端子ピンと嵌合により接続し、前記第２の接続端は回路基板の半田接続部に半田により接続することを特徴とする回路基板用コネクタ。
【請求項３】
前記端子ピンは前記コネクタユニットの合成樹脂製のハウジング内にモールドにより固定したことを特徴とする請求項１又は２に記載の回路基板用コネクタ。
【請求項４】
前記ハウジングは汎用合成樹脂を用いたことを特徴とする請求項３に記載の回路基板用コネクタ。
【請求項５】
前記中継端子の前記端子ピンとの孔状の嵌合接続部は、周囲から内側に向けて複数の舌片を突出したことを特徴とする請求項１〜４の何れか１つの請求項に記載の回路基板用コネクタ。
【請求項６】
相手側コネクタの接続端子と接続する複数の棒状の端子ピンを有するコネクタユニットと、第１、第２の接続端を持つ複数の板体状の中継端子を有し、これらの中継端子を耐熱性の合成樹脂のモールド体によりモールドして保持する中継ユニットと、配線パターンを実装し該配線パターンの複数の半田接続部を有する回路基板とから成り、該回路基板上に前記中継ユニットを配置し、前記回路基板の半田接続部に前記中継端子の第２の接続端を半田により接続する半田接続工程と、前記中継ユニット上に前記コネクタユニットを配置し、前記中継ユニットの第１の接続端に前記コネクタユニットの端子ピンを嵌合により接続する嵌合接続工程とから成ることを特徴とする回路基板用コネクタの製造方法。
【請求項７】
前記半田接続工程は高温の炉内において実施することを特徴とする請求項６に記載の回路基板用コネクタの製造方法。